【事件の表示】
　平成　７年特許願第２１４０６０号「拡底バケットの開度検出装置」拒絶査定に対する審判事件［平成　９年　２月１０日出願公開、特開平　９−　４１８６１］について、次のとおり審決する。
【結　論】
　本件審判の請求は、成り立たない。
【理　由】
１．手続の経緯
　本願は、平成７年７月３１日の出願であって、平成１３年３月２９日付で拒絶査定がなされ、これに対し、平成１３年５月２２日に拒絶査定に対する審判請求がなされるとともに、平成１３年６月１９日受付けで手続補正がなされたものである。
　
２．平成１３年６月１９日受付けの手続補正についての補正却下の決定
［補正却下の決定の結論］
　　平成１３年６月１９日受付けの手続補正を却下する。
［理由］
　上記補正事項の一部は、、特許請求の範囲の請求項１を、
「フロントフレームに設けられるケリードライブ装置と、該ケリードライブ装置により回転駆動力が付与され、伸縮するケリーバの下端に設けられる拡底バケットと、該拡底バケットに設けられる拡径用油圧シリンダと、前記ケリードライブ装置の下部に設けられ、前記フロントフレームに固定される非回転の外筒とその内部に回転自在に嵌合された内筒とからなり、前記非回転の外筒から供給される作動油を回転する前記内筒に導くロータリージョイントと、該ロータリージョイントの内筒とともに回転可能に設けられ、前記外筒から内筒に供給された作動油を、前記ケリーバの回転および伸縮に追従させつつ、前記拡径用油圧シリンダに導く油圧ホースが巻き回されたホースリールとを備えたアースドリルにおいて、前記ロータリージョイントの内筒と前記ホースリールとの間を繋ぐ油圧配管に、通過する作動油の流量を検出する流量検出器を取付け、該流量検出器により検出される流量信号から拡底径を演算し表示する装置を備えたことを特徴とする拡底バケットの開度検出装置。」
と補正するものである。
　しかしながら、上記補正において追加された「
伸縮する
　したがって、本件手続補正は、願書に最初に添付した明細書又は図面に記載した事項の範囲内においてしたものでないから、特許法第１７条の２第３項に規定する要件を満たしておらず、同法第１５９条第１項の規定により読み替えられる同法第５３条第１項の規定により却下すべきものである。
　
３．本願発明について
　平成１３年６月１９日受付けの手続補正は上記のとおり却下されたので、本願の請求項１ないし３に係る発明は、平成１２年１２月１１日受付けで補正された明細書の特許請求の範囲の請求項１ないし３に記載された事項により特定される、以下のとおりのものである。
【請求項１】　ケリードライブ装置の下部に、ロータリージョイントを介して、拡底バケットの拡径用油圧シリンダに作動油を供給する油圧ホースのホースリールが取付けられたアースドリルにおいて、ロータリージョイントの回転側と前記ホースリールとの間の油圧配管に作動油の流量を検出する流量検出器を取付け、該流量検出器により検出される流量信号から拡底径を演算し表示する装置を備えたことを特徴とする拡底バケットの開度検出装置。
【請求項２】（記載を省略）
【請求項３】（記載を省略）
（以下、請求項１記載の発明を「本願発明１」という。）　
　
（１）引用文献
　原査定の拒絶の理由に引用され、本願の出願前に国内において頒布された刊行物である、実公平７−５４１号公報（以下、「引用文献」という）には、実用新案登録請求の範囲に、「【請求項１】地中掘削孔の底部を、掘削装置の拡底バケットを回転させると共に、地上の高圧作動油供給源からの作動油をロータリジョイントが介装された流路を介して油圧シリンダに供給し、該油圧シリンダによって拡底バケットの拡底翼を拡開して拡底掘削した拡底状態を検出する掘削装置用拡底バケット開度検出装置において、前記ロータリジョイントよりも上流の前記掘削孔外の前記流路中に設けた作動油のその時々の流量を検出する流量検出手段と、該流量検出手段により検出された流量に基づいて、予め設定された前記拡底バケットの形状からその時の拡底状態を算出する拡底状態算出手段と、を備えたことを特徴とする掘削装置用拡底バケット開度検出装置。」、２頁４欄１７〜１９行に「第２図は本考案の一実施例である掘削装置用拡底バケット開度検出装置を備えたアースドリル掘削装置の概略構成図である。」、２頁４欄２６〜４１行に「本体１に支持されたアーム１４の先端に回転駆動装置１６が配設されており、前記ケリーバ１０がこの回転駆動装置１６に挿通されて、回転駆動装置１６の駆動によりケリーバ１０が回転されると共に、ケリーバ１０が回転駆動装置１６内を摺動して昇降可能に構成されている。更に、ケリーバ１０の先端には、拡底バケット１８が取り付けられている。前記回転駆動装置１６は、本体１に設けられた図示しない油圧ユニットから、油圧ホース群２０の内の一部の油圧ホースを介して供給される高圧作動油によって駆動される油圧モータ２２を備え、油圧モータ２２を駆動してケリーバ１０を回転するようになされている。また、回転駆動装置１６は、固定側と回転側との間で作動油を漏れなく供給できる複数の流路を有するロータリジョイント２４と、ケリーバ１０と共に回転するが昇降しない回転テーブル２６とを備えている。」、３頁５欄１〜３行に「・・・バケット本体３２とスライダ４０との間には、油圧シリンダ５４が配置されている。」、３頁５欄２５行〜同６欄１５行に「Ａポートは、流路６６及び油圧ホース群２０の内の油圧ホース２０ａを介して、ロータリジョイント２４内の流路２４ａを固定側に接続されている。この流路２４ａの回転側には、回転テーブル２６上に配置されたホースリール６８に巻かれた油圧ホース７０の一端が接続されている。・・・この油圧ホース７０の他端は、前記油圧シリンダ５４のヘッド側ポート５４ａと連通されている。・・・流量回転変換器７２の回転軸には、回転数に応じたパルス信号を出力するロータリーエンコーダ７６が取り付けられている。・・・流量回転変換器７２の回転軸の回転数ｎ・・・が、流量回転変換器７２を通過する作動油の流量に比例するようになされており、流量回転変換器７２の１回転あたりの流量ｖが予め求められている。この回転数ｎに応じたロータリエンコーダ７６のパルス数を計算することによって、流量を検出することができる構成となっている。この流量回転変換器７２とロータリエンコーダ７６とによって流量検出手段Ｍ４を構成している。この流路２４ｂの回転側には、回転テーブル２６上に配置されたホースリール７８に巻かれた油圧ホース７９の一端が接続されており、この油圧ホース７９の他端は、前記油圧シリンダ５４のロッド側ポート５４ｂと接続されている。前記油圧ホース７９、ロータリージョイント２４の流路２４ｂ、油圧ホース２０ｂ、流路７４によって流路Ｍ３を構成している。流量回転変換器７２は、この流路Ｍ３中であれば、どの位置に配置されても、流量の検出は可能である。また、本実施例では、油圧シリンダ５４から排出される流量を検出する構成としているが、流路６６、油圧ホース２０ａ、ロータリジョイント２４の流路２４ａ、油圧ホース７０により構成される流路Ｍ３中に、流量回転変換器７２を配置して、油圧シリンダ５４に供給される流量を検出する構成としても実施可能である。」、５頁９欄３８〜４２行に「次に、前記算出した拡底状態がディスプレイ８４に表示される・・・。この表示は、第１２図に示すように、実拡底径ＲＤが、「実拡底径」の文字と共にその値が、例えば「１．４４ｍ」と、またそれに応じた形状が白抜きで表示される。」と記載されており、これらの記載を含む明細書全体及び図面から、引用文献には、「回転駆動装置１６の下部に、ロータリージョイント２４を介して、拡底バケット１８の油圧シリンダ５４に作動油を供給する油圧ホース７０，７９のホースリール６８，７８が取付けられたアースドリルにおいて、（高圧作動油供給源と油圧ホース２０ａを繋ぐ）流路６６、（回転駆動装置１６の油圧モータを駆動する高圧作動油を供給し、ロータリジョイント２４の流路２４ａを固定側と接続する）油圧ホース２０ａ、ロータリジョイント２４の流路２４ａ、（一端が流路２４ａの回転側に接続され他端が油圧シリンダ５４のヘッド側ポート５４ａと連通されている）油圧ホース７０により構成される流路Ｍ３中のどこかに作動油の流量を検出する流量回転変換器７２を取付け、該流量回転変換器７２により検出されるパルス信号から拡底径を算出する拡底状態算出手段と、算出した拡底状態を表示するディスプレイ８４を備えた拡底バケットの開度検出装置」という発明（以下「引用文献記載の発明」という。）が開示されていると認めることができる。
　
（２）対比・判断
　本願発明１と、上記引用文献記載の発明を比較すると、引用文献記載の発明の「回転駆動装置１６」、「油圧シリンダ５４」、「流量回転変換器７２」、「パルス信号」、「拡底径を算出する拡底状態算出手段と、算出した拡底状態を表示するディスプレイ８４」は、それぞれ、本願発明１の「ケリードライブ装置」、「拡径用油圧シリンダ」、「流量検出器」、「流量信号」、「拡底径を演算し表示する装置」に相当し、本願発明１の「ロータリージョイントの回転側とホースリールとの間の油圧配管」は、引用文献記載の発明の「流路Ｍ３」中に含まれる油圧配管であるから、両者は、ケリードライブ装置の下部に、ロータリージョイントを介して、拡底バケットの拡径用油圧シリンダに作動油を供給する油圧ホースのホースリールが取付けられたアースドリルにおいて、油圧配管に作動油の流量を検出する流量検出器を取付け、該流量検出器により検出される流量信号から拡底径を演算し表示する装置を備えた拡底バケットの開度検出装置の点で一致し、下記の点で相違している。
相違点：流量検出器を取付ける油圧配管が、本願発明１では、ロータリージョイントの回転側とホースリールとの間の油圧配管であるのに対し、引用文献記載の発明では、（高圧作動油供給源と油圧ホース２０ａを繋ぐ）流路６６、（回転駆動装置１６の油圧モータを駆動する高圧作動油を供給し、ロータリジョイント２４の流路２４ａを固定側と接続する）油圧ホース２０ａ、ロータリジョイント２４の流路２４ａ、（一端が流路２４ａの回転側に接続され他端が油圧シリンダ５４のヘッド側ポート５４ａと連通されている）油圧ホース７０により構成される流路Ｍ３中のどこかである点。
　しかしながら、本願発明１において、流量検出器を上記特定位置に設けることに、格別の作用効果は認められず、引用文献記載の発明において、流路Ｍ３中であり、本願発明１の、ロータリージョイントの回転側とホースリールとの間の油圧配管に相当する、ロータリジョイント２４内の流路２４ａの回転側とホースリール６８に巻かれた油圧ホース７０との間に、作動油の流量を検出する流量回転変換器７２を取付けるようにすることは、設計的事項にすぎない。
　
（３）むすび
　以上のとおり、本願発明１は、引用文献記載の発明に基づいて、当業者が容易に発明をすることができたものであるから、他の請求項に係る発明について検討するまでもなく、本願は、特許法第２９条第２項の規定により特許を受けることができない。
　よって、結論のとおり審決する。